(57)【要約】【課題】室内の空気を清浄化させる空気清浄機において、室内に発生する空気汚れに対してより効果的にかつ迅速に清浄化することが望まれている。【解決手段】本体側面の第１の開閉式吸気口２と、本体下部の第２の開閉式吸気口３とを設けて、第１の開閉式吸気口２を閉口して第２の開閉式吸気口３を開口した場合には室内の低域空間に対する吸込み風量を上げることで床面付近に舞い上がる粉塵を効率良く除去し、また第１の開閉式吸気口２を開口して第２の開閉式吸気口３を閉口した場合には室内の高域空間に対する吸込み風量を上げることで、浮遊粉塵、ニオイを効率良く除去することができる。【選択図】図１
2008212463.tif 000002
【特許請求の範囲】
【請求項１】
室内の空気を清浄化する空気清浄機において、本体側面に設けた開閉可能な第１の吸気手段と、本体下部に設けた開閉可能な第２の吸気手段と、第１の吸気手段と第２の吸気手段を開閉する制御手段を備えたことを特徴とする空気清浄機。
【請求項２】
第１の吸気手段と第２の吸気手段は、時間経過とともに連動して交互に開閉する連動制御手段を備えたことを特徴とする請求項１記載の空気清浄機。
【請求項３】
第１の吸気手段と第２の吸気手段は、時間経過とともに連動して交互に開閉し、第１の吸気手段が開口する場合には運転時間を長くし、第２の吸気手段が開口する場合は運転時間を短くする制御手段を備えたことを特徴とする請求項１記載の空気清浄機。
【請求項４】
第１の吸気手段と第２の吸気手段は、時間経過とともに連動して交互に開閉し、第１の吸気手段が開口する場合は運転風量小さくし、第２の吸気手段が開口する場合は運転風量を大きくする制御手段を備えたことを特徴とする請求項１記載の空気清浄機。
【請求項５】
第１の吸気手段と第２の吸気手段は、室内の粉塵を検出する粉塵検出手段の検出結果が規定値より多い場合に第１の吸気手段を閉口し、第２の吸気手段を開口する制御手段を備えたことを特徴とする請求項１記載の空気清浄機。
【請求項６】
第１の吸気手段と第２の吸気手段は、室内の粉塵を検出する粉塵検出手段の検出結果が規定値より少ない場合に第１の吸気手段を開口し、第２の吸気手段を閉口する制御手段を備えたことを特徴とする請求項１記載の空気清浄機。
【請求項７】
第１の吸気手段と第２の吸気手段は、室内の粉塵を検出する粉塵検出手段より汚れを検出されない場合に第１の吸気手段を開口し、第２の吸気手段も開口する制御手段を備えたことを特徴とする請求項１記載の空気清浄機。
【請求項８】
第１の吸気手段と第２の吸気手段は、室内のニオイを検出するニオイ検出手段の検出結果が規定値より多い場合に第１の吸気手段を開口し、第２の吸気手段は閉口する制御手段を備えたことを特徴とする請求項１記載の空気清浄機。
【請求項９】
第１の吸気手段と第２の吸気手段は、室内のニオイを検出するニオイ検出手段の検出結果が規定値より少ない場合に第１の吸気手段を開口し、第２の吸気手段も開口する制御手段を備えたことを特徴とする請求項１記載の空気清浄機。
【請求項１０】
第１の吸気手段と第２の吸気手段は、室内の粉塵を検出する粉塵検出手段の検出結果が規定値より多く、ニオイを検出するニオイ検出手段の検出結果も規定値より多い場合に第１の吸気手段を開口し、第２の吸気手段も開口し、運転風量を最大にする制御手段を備えたことを特徴とする請求項１記載の空気清浄機。
【請求項１１】
第１の吸気手段と第２の吸気手段は、室内の人の活動量を検出する活動量検出手段の検出結果が多い場合には第１の吸気手段を閉口し、第２の吸気手段は開口し、運転風量も１段階大きくする制御手段を備えたことを特徴とする請求項１記載の空気清浄機。
【請求項１２】
第１の吸気手段と第２の吸気手段は、室内の人の活動量を検出する活動量検出手段の検出結果が少ない場合には第１の吸気手段を開口し、第２の吸気手段は閉口し、運転風量を１段階小さくする制御手段を備えたことを特徴とする請求項１記載の空気清浄機。
【発明の詳細な説明】
【技術分野】
【０００１】
本発明は、例えば、粉塵センサーあるいは／およびガスセンサーなどにより室内の空気汚れを検出し、制御部が吸込み手段を駆動して室内空気を吸い込み、清浄化手段を通して清浄化する空気清浄機に関するものである。
【背景技術】
【０００２】
従来、この種の空気清浄機は下記に記載されたものが知られている。以下その空気清浄機について図１１および図１２を用いて説明する。図に示すように、空気清浄機本体１０１には、前面パネル１０２が設けられ、空気を清浄化するためのフィルター１０４と、フィルター１０４に通風するモーター１０５と、このモーター１０５を運転制御する制御部１０６を備えている。また、本体１０１の側面には室内の空気汚れを検出する光学式の粉塵センサー１０７を設けている。
【０００３】
上記構成において、粉塵センサー１０７が汚れを検出したとき、制御部１０６は粉塵センサー１０７からの信号の大小によりモーター１０５の回転数を変えて通風量を変化させ、室内の汚れに対応した清浄化運転を行なっている（例えば、特許文献１参照）。
【特許文献１】特許第２７５８６５５号公報
【発明の開示】
【発明が解決しようとする課題】
【０００４】
このような従来の空気清浄機では、空気の吸込み位置が一定のため使用環境によって発生する汚れに合わせて粉塵が多い環境では床面付近から吸い込ませたり、ニオイが発生する環境では床面よりも高い位置から吸い込ませたりできないので効率良く浄化できないという課題があり、使用者の環境に合わせて効率良く汚れを吸込み清浄化することが要求されている。
【０００５】
また、使用者の活動量によっては床面に沈降した粉塵を舞い上げて室内に粉塵が広がるがセンサーが検知するまで運転することができず清浄化できないという課題があり、使用者の活動量を検出して素早く、効率良く清浄化することが要求されている。
【０００６】
本発明は、このような従来の課題を解決するものであり、吸込み位置を変更することで
使用環境に合わせて効率良く空気清浄運転をおこない、また人の活動量に応じて舞い上がる粉塵を効果的に除去する運転モードとなる空気清浄機を提供することを目的としている。
【課題を解決するための手段】
【０００７】
本発明の空気清浄機は上記目的を達成するために、本体側面に設けた開閉可能な第１の吸気手段と、本体下部に設けた開閉可能な第２の吸気手段と、第１の吸気手段と第２の吸気手段を開閉する制御手段を備えた構成とするものである。
【０００８】
この手段により両方の吸気手段を開口している場合に比べ、片側の吸気手段を閉口すると、もう一方の吸気手段の吸込み量が大きく増加することで吸込み能力が上がり効率良く汚れを除去できる空気清浄機が得られる。
【０００９】
また、本発明の空気清浄機は上記目的を達成するために、第１の吸気手段と第２の吸気手段は、時間経過とともに連動して交互に開閉する連動制御手段を備えた構成とするものである。
【００１０】
この手段により第１の吸気手段と第２の吸気手段が定期的に交互に開閉するので風の流れを定期的に変化させて空気のよどみを無くして効果的に汚れを除去できる空気清浄機が得られる。
【００１１】
また、本発明の空気清浄機は上記目的を達成するために、第１の吸気手段と第２の吸気手段は、時間経過とともに連動して交互に開閉し、第１の吸気手段が開口する場合には運転時間を長くし、第２の吸気手段が開口する場合は運転時間を短くする制御手段を備えた
構成とするものである。
【００１２】
この手段により本体側面に設けた吸気口から吸気する時間が長いので室内で長時間浮遊している比較的軽いニオイが多い環境の場合にも効率良く除去できる空気清浄機が得られる。
【００１３】
また、本発明の空気清浄機は上記目的を達成するために、第１の吸気手段と第２の吸気手段は、時間経過とともに連動して交互に開閉し、第１の吸気手段が開口する場合は運転風量小さくし、第２の吸気手段が開口する場合は運転風量を大きくする制御手段を備えた
構成とするものである。
【００１４】
この手段により本体下部に設けた吸気口から吸気する運転風量が大きいので床面に沈降しやすい比較的重い粉塵が多い環境の場合にも効率良く除去できる空気清浄機が得られる。
【００１５】
また、本発明の空気清浄機は上記目的を達成するために、第１の吸気手段と第２の吸気手段は、室内の粉塵を検出する粉塵検出手段の検出結果が規定値より多い場合に第１の吸気手段を閉口し、第２の吸気手段を開口する制御手段を備えた構成とするものである。
【００１６】
この手段により規定値以上の粉塵汚れを検出した場合には本体側面に設けた吸気口を閉口し本体下部に設けた吸気口を開口するので床面付近の吸込み風量が大きくなり比較的沈降しやすい粉塵を効率良く除去できる空気清浄機が得られる。
【００１７】
また、本発明の空気清浄機は上記目的を達成するために、第１の吸気手段と第２の吸気手段は、室内の粉塵を検出する粉塵検出手段の検出結果が規定値より少ない場合に第１の吸気手段を開口し、第２の吸気手段を閉口する制御手段を備えた構成とするものである。
【００１８】
この手段により規定値以下の粉塵を検出した場合には本体側面に設けた吸気口を開口し本体下部に設けた吸気口を閉口するので側面からの吸い込み風量が大きくなり比較的浮遊しやすい粉塵を効率良く除去できる空気清浄機が得られる。
【００１９】
また、本発明の空気清浄機は上記目的を達成するために、第１の吸気手段と第２の吸気手段は、室内の粉塵を検出する粉塵検出手段より汚れを検出されない場合に第１の吸気手段を開口し、第２の吸気手段も開口する制御手段を備えた構成とするものである。
【００２０】
この手段により粉塵が検出されない場合には本体側面に設けた吸気口を開口し本体下部に設けた吸気口も開口するので室内全体に気流を発生させて低騒音で室内粉塵、空気汚れを除去できる空気清浄機が得られる。
【００２１】
また、本発明の空気清浄機は上記目的を達成するために、第１の吸気手段と第２の吸気手段は、室内のニオイを検出するニオイ検出手段の検出結果が規定値より多い場合に第１の吸気手段を開口し、第２の吸気手段は閉口する制御手段を備えた構成とするものである。
【００２２】
この手段により規定値以上のニオイを検出した場合には本体側面に設けた吸気口を開口し本体下部に設けた吸気口を閉口するので側面からの吸い込み風量が大きくなり浮遊しやすいニオイを効率良く除去できる空気清浄機が得られる。
【００２３】
また、本発明の空気清浄機は上記目的を達成するために、第１の吸気手段と第２の吸気手段は、室内のニオイを検出するニオイ検出手段の検出結果が規定値より少ない場合に第１の吸気手段を開口し、第２の吸気手段も開口する制御手段を備えた構成とするものである。
【００２４】
この手段により規定値以下のニオイを検出した場合には本体側面に設けた吸気口を開口し本体下部に設けた吸気口も開口するので広がりやすいニオイの場合には室内全体に気流を発生させて低騒音で除去できる空気清浄機が得られる。
【００２５】
また、本発明の空気清浄機は上記目的を達成するために、第１の吸気手段と第２の吸気手段は、室内の粉塵汚れを検出する粉塵汚れ検出手段の検出結果が規定値より多く、ニオイを検出するニオイ検出手段の検出結果も規定値より多い場合に第１の吸気手段を開口し、第２の吸気手段も開口し、運転風量を最大にする制御手段を備えた構成とするものである。
【００２６】
この手段により規定値以上の粉塵とニオイを検出した場合には本体側面に設けた吸気口を開口し本体下部に設けた吸気口も開口し、さらに運転風量を最大風量にするので大風量にて吸い込むので除去効率の良い運転ができる空気清浄機が得られる。
【００２７】
また、本発明の空気清浄機は上記目的を達成するために、第１の吸気手段と第２の吸気手段は、室内の人の活動量を検出する活動量検出手段の検出結果が多い場合には第１の吸気手段を閉口し、第２の吸気手段は開口し、運転風量を１段階大きくする制御手段を備えた構成とするものである。
【００２８】
この手段により人の活動量が多い場合には本体下部に設けられた吸気口を開口し、本体側面の吸気口を閉口して、運転風量を１段階大きくすることで、人が動作することによって床面より舞い上がった粉塵を短時間で効率良く除去できる空気清浄機が得られる。
【００２９】
また、本発明の空気清浄機は上記目的を達成するために、第１の吸気手段と第２の吸気手段は、室内の人の活動量を検出する活動量検出手段の検出結果が少ない場合には第１の吸気手段を開口し、第２の吸気手段は閉口し、運転風量を１段階小さくする制御手段を備えた構成とするものである。
【００３０】
この手段により人の活動量が少ない場合には本体側面に設けられた吸気口を開口し、本体下部に設けられた吸気口を閉口して、運転風量を１段階小さくすることで、低騒音で空気汚れを除去できる空気清浄機が得られる。
【発明の効果】
【００３１】
本発明によれば、本体側面に設けた開閉可能な第１の吸気手段と、本体下部に設けた開閉可能な第２の吸気手段と、第１の吸気手段と第２の吸気手段を開閉する制御手段を備えた構成とすることで、両方の吸気手段を開口している場合に比べ、片側の吸気手段を閉口すると、もう一方の吸気手段の吸込み量が大きく増加することで吸込み能力が上がり効率良く汚れを除去できる空気清浄機を提供できる。
【００３２】
また、第１の吸気手段と第２の吸気手段は、時間経過とともに連動して交互に開閉する連動制御手段を備えた構成とすることで、定期的に交互に開閉するので風の流れを定期的に変化させて空気のよどみを無くして効果的に汚れを除去できる空気清浄機を提供できる。
【００３３】
また、第１の吸気手段と第２の吸気手段は、時間経過とともに連動して交互に開閉し、第１の吸気手段が開口する場合には運転時間を長くし、第２の吸気手段が開口する場合は運転時間を短くする制御手段を備えた構成とすることで、本体側面に設けた吸気口から吸気する時間が長いので室内で長時間浮遊している比較的軽いニオイが多い環境の場合にも効率良く除去できる空気清浄機を提供できる。
【００３４】
また、第１の吸気手段と第２の吸気手段は、時間経過とともに連動して交互に開閉し、第１の吸気手段が開口する場合は運転風量小さくし、第２の吸気手段が開口する場合は運転風量を大きくする制御手段を備えた構成とするもので、本体下部に設けた吸気口から吸気する運転風量が大きいので床面に沈降しやすい比較的重い粉塵が多い環境の場合にも効率良く除去できる空気清浄機を提供できる。
【００３５】
また、第１の吸気手段と第２の吸気手段は、室内の粉塵汚れを検出する粉塵汚れ検出手段の検出結果が規定値より多い場合に第１の吸気手段を閉口し、第２の吸気手段を開口する制御手段を備えた構成とすることで、規定値以上の粉塵汚れを検出した場合には本体側面に設けた吸気口を閉口し本体下部に設けた吸気口を開口するので床面付近の吸込み風量が大きくなり比較的沈降しやすい粉塵を効率良く除去できる空気清浄機を提供できる。
【００３６】
また、第１の吸気手段と第２の吸気手段は、室内の粉塵汚れを検出する粉塵汚れ検出手段の検出結果が規定値より少ない場合に第１の吸気手段を開口し、第２の吸気手段を閉口する制御手段を備えた構成とすることで、規定値以下の粉塵を検出した場合には本体側面に設けた吸気口を開口し本体下部に設けた吸気口を閉口するので側面からの吸い込み風量が大きくなり比較的浮遊しやすい粉塵を効率良く除去できる空気清浄機を提供できる。
【００３７】
また、第１の吸気手段と第２の吸気手段は、室内の粉塵を検出する粉塵検出手段より汚れを検出されない場合に第１の吸気手段を開口し、第２の吸気手段も開口する制御手段を備えた構成とするもので、粉塵が検出されない場合には本体側面に設けた吸気口を開口し本体下部に設けた吸気口も開口するので室内全体に気流を発生させて低騒音で空気汚れを除去できる空気清浄機を提供できる。
【００３８】
また、第１の吸気手段と第２の吸気手段は、室内のニオイ汚れを検出するニオイ汚れ検出手段の検出結果が規定値より多い場合に第１の吸気手段を開口し、第２の吸気手段は閉口する制御手段を備えた構成とするもので、規定値以上のニオイを検出した場合には本体側面に設けた吸気口を開口し本体下部に設けた吸気口を閉口するので側面からの吸い込み風量が大きくなり浮遊しやすいニオイを効率良く除去できる空気清浄機を提供できる。
【００３９】
また、第１の吸気手段と第２の吸気手段は、室内のニオイを検出するニオイ検出手段の検出結果が規定値より少ない場合に第１の吸気手段を開口し、第２の吸気手段も開口する制御手段を備えた構成とするもので、規定値以下のニオイを検出した場合には本体側面に設けた吸気口を開口し本体下部に設けた吸気口も開口するので広がりやすいニオイの場合には室内全体に気流を発生させて低騒音で除去できる空気清浄機を提供できる。
【００４０】
また、第１の吸気手段と第２の吸気手段は、室内の粉塵を検出する粉塵検出手段の検出結果が規定値より多く、ニオイを検出するニオイ検出手段の検出結果も規定値より多い場合に第１の吸気手段を開口し、第２の吸気手段も開口し、運転風量を最大にする制御手段を備えた構成とするもので、規定値以上の粉塵とニオイを検出した場合には本体側面に設けた吸気口を開口し本体下部に設けた吸気口も開口し、さらに運転風量を最大風量にするので大風量にて吸い込むので除去効率の良い運転ができる空気清浄機を提供できる。
【００４１】
また、第１の吸気手段と第２の吸気手段は、室内の人の活動量を検出する活動量検出手段の検出結果が多い場合には第１の吸気手段を閉口し、第２の吸気手段は開口し、運転風量を１段階大きくする制御手段を備えた構成とするもので、より人の活動量が多い場合には本体下部に設けられた吸気口を開口し、本体側面の吸気口を閉口して、運転風量を１段階大きくすることで、人が動作することによって床面より舞い上がった粉塵を短時間で効率良く除去できる空気清浄機を提供できる。
【００４２】
また、第１の吸気手段と第２の吸気手段は、室内の人の活動量を検出する活動量検出手段の検出結果が少ない場合には第１の吸気手段を開口し、第２の吸気手段は閉口し、運転風量を１段階小さくする制御手段を備えた構成とするもので、より人の活動量が少ない場合には本体側面に設けられた吸気口を開口し、本体下部に設けられた吸気口を閉口して、運転風量を１段階小さくすることで、低騒音で空気汚れを除去できる空気清浄機を提供できる。
【発明を実施するための最良の形態】
【００４３】
本発明の請求項１記載の発明は、本体側面に設けた開閉可能な第１の吸気手段と、本体下部に設けた開閉可能な第２の吸気手段と、第１の吸気手段と第２の吸気手段を開閉する制御手段を備えた構成としたものであり、両方の吸気手段を開口している場合に比べ、片側の吸気手段を閉口すると、もう一方の吸気手段の吸込み量が大きく増加することで同じ風量にもかかわらず吸込み能力が上がり効率良く汚れを除去できるという作用を有する。
【００４４】
また、第１の吸気手段と第２の吸気手段は、時間経過とともに連動して交互に開閉する連動制御手段を備えた構成とするものであり、第１の吸気手段と第２の吸気手段が定期的に交互に開閉するので風の流れを定期的に変化させて空気のよどみを無くして効果的に汚れを除去できるという作用を有する。
【００４５】
また、第１の吸気手段と第２の吸気手段は、時間経過とともに連動して交互に開閉し、第１の吸気手段が開口する場合には運転時間を長くし、第２の吸気手段が開口する場合は運転時間を短くする制御手段を備えた構成とするものであり、本体側面に設けた吸気口から吸気する時間が長いので室内で長時間浮遊している比較的軽いニオイが多い環境の場合にも効率良く除去できるという作用を有する。
【００４６】
また、第１の吸気手段と第２の吸気手段は、時間経過とともに連動して交互に開閉し、第１の吸気手段が開口する場合は運転風量小さくし、第２の吸気手段が開口する場合は運転風量を大きくする制御手段を備えた構成とするものであり、本体下部に設けた吸気口から吸気する運転風量が大きいので床面に沈降しやすい比較的重い粉塵が多い環境の場合にも効率良く除去できるという作用を有する。
【００４７】
また、第１の吸気手段と第２の吸気手段は、室内の粉塵汚れを検出する粉塵汚れ検出手段の検出結果が規定値より多い場合に第１の吸気手段を閉口し、第２の吸気手段を開口する制御手段を備えた構成とするものであり、規定値以上の粉塵を検出した場合には本体側面に設けた吸気口を閉口し本体下部に設けた吸気口を開口するので床面付近の吸込み風量が大きくなり比較的沈降しやすい粉塵を効率良く除去できるという作用を有する。
【００４８】
また、第１の吸気手段と第２の吸気手段は、室内の粉塵汚れを検出する粉塵汚れ検出手段の検出結果が規定値より少ない場合に第１の吸気手段を開口し、第２の吸気手段を閉口する制御手段を備えた構成とするものであり、規定値以下の粉塵を検出した場合には本体側面に設けた吸気口を開口し本体下部に設けた吸気口を閉口するので側面からの吸い込み風量が大きくなり比較的浮遊しやすい粉塵を効率良く除去できるという作用を有する。
【００４９】
また、第１の吸気手段と第２の吸気手段は、室内の粉塵を検出する粉塵検出手段より汚れを検出されない場合に第１の吸気手段を開口し、第２の吸気手段も開口する制御手段を備えた構成とするものであり、粉塵が検出されない場合には本体側面に設けた吸気口を開口し本体下部に設けた吸気口も開口するので室内全体に気流を発生させて低騒音で空気汚れを除去できるという作用を有する。
【００５０】
また、第１の吸気手段と第２の吸気手段は、室内のニオイを検出するニオイ検出手段の検出結果が規定値より多い場合に第１の吸気手段を開口し、第２の吸気手段は閉口する制御手段を備えた構成とするものであり、規定値以上のニオイを検出した場合には本体側面に設けた吸気口を開口し本体下部に設けた吸気口を閉口するので側面からの吸い込み風量が大きくなり浮遊しやすいニオイを効率良く除去できるという作用を有する。
【００５１】
また、第１の吸気手段と第２の吸気手段は、室内のニオイを検出するニオイ検出手段の検出結果が規定値より少ない場合に第１の吸気手段を開口し、第２の吸気手段も開口する制御手段を備えた構成とするものであり、規定値以下のニオイを検出した場合には本体側面に設けた吸気口を開口し本体下部に設けた吸気口も開口するので広がりやすいニオイの場合には室内全体に気流を発生させて低騒音で除去できるという作用を有する。
【００５２】
また、第１の吸気手段と第２の吸気手段は、室内の粉塵を検出する粉塵検出手段の検出結果が規定値より多く、ニオイを検出するニオイ検出手段の検出結果も規定値より多い場合に第１の吸気手段を開口し、第２の吸気手段も開口し、運転風量を最大にする制御手段を備えた構成とするものであり、規定値以上の粉塵とニオイを検出した場合には本体側面に設けた吸気口を開口し本体下部に設けた吸気口も開口し、さらに運転風量を最大風量にするので大風量にて吸い込むので除去効率の良い運転ができるという作用を有する。
【００５３】
また、第１の吸気手段と第２の吸気手段は、室内の人の活動量を検出する活動量検出手段の検出結果が多い場合には第１の吸気手段を閉口し、第２の吸気手段は開口し、運転風量を１段階大きくする制御手段を備えた構成とするものであり、より人の活動量が多い場合には本体下部に設けられた吸気口を開口し、本体側面の吸気口を閉口して、運転風量を１段階大きくすることで、人が動作することによって床面より舞い上がった粉塵を短時間で効率良く除去できるという作用を有する。
【００５４】
また、第１の吸気手段と第２の吸気手段は、室内の人の活動量を検出する活動量検出手段の検出結果が少ない場合には第１の吸気手段を開口し、第２の吸気手段は閉口し、運転風量を１段階小さくする制御手段を備えた構成とするものであり、より人の活動量が少ない場合には本体側面に設けられた吸気口を開口し、本体下部に設けられた吸気口を閉口して、運転風量を１段階小さくすることで、低騒音で空気汚れを除去できるという作用を有する。
【００５５】
以下、本発明の実施の形態について図面を参照しながら説明する。
【００５６】
（実施の形態１）
図１〜図４に示すように、空気清浄機の本体１は略箱形に形成され、本体１の正面にはフロントパネルを設け、例えば、本体１の側面全体に第１の吸気手段である第１の開閉式吸気口２、本体１下部に第２の吸気手段である第２の開閉式吸気口３を形成している。本体１内には空気を清浄化するためフィルター４と、このフィルター４に通風するファンモータ５が備えられ、本体１天面には吹出部６が設けられている。ファンモータ５の駆動により第１の開閉式吸気口２ａ、２ｃおよび第２の開閉式吸気口３から空気が吸い込まれ、フィルター４を通って清浄された後、吹出部６から吹出される。
【００５７】
また、第１の開閉式吸気口２ａはステッピングモータ２ｂにより開閉され、第１の開閉式吸気口２ｃはステッピングモータ２ｄにより開閉され、第２の開閉式吸気口３はステッピングモータ３ａによって開閉される。本体１下部に第２の吸気手段である第２の開閉式吸気口３を備えるが、第２の開閉式吸気口３を備える本体１下部としては、床面にできるだけ近くして床面の粉塵を効率的に吸引できればよく、例えば、本体底面より１０ｃｍ程度上部の位置にあれば良い。
【００５８】
本体１側面には汚れ検出手段として光学式の粉塵センサ７ａを備えた粉塵検出部７が設けられ、本体１上面には汚れ検出手段としてガスセンサ８ａを備えたニオイ検出部８が設けられている。また本体１の正面上部には操作部９が設けられ、制御部１０に演算部１１を設けている。
【００５９】
上記構成において、図３（イ）および図４に示すように第１の開閉式吸気口２ａ、２ｃおよび第２の開閉式吸気口３が開口している場合の吸込み風量は３方向に分割されているため、それぞれの吸込み風量は第１の開閉式吸気口２ａが１ｍ3／分、第１の開閉式吸気口２ｃが１ｍ3／分、第２の開閉式吸気口３が２ｍ3／分となるが、図３（ロ）に示すように第１の開閉式吸気口２ａ、２ｃが開口し第２の開閉式吸気口３が閉口した場合には、それぞれの吸込み風量は第１の開閉式吸気口２ａが２ｍ3／分、第１の開閉式吸気口２ｃが２ｍ3／分、第２の開閉式吸気口３が０ｍ3／分となり、側面からの吸気風量は２倍となり、側面から吸い込まれる空気汚れの除去効率は２倍となる。一方図３（ハ）に示すように第１の開閉式吸気口２ａ、２ｃが閉口し第２の開閉式吸気口３が開口した場合には、それぞれの吸込み風量は第１の開閉式吸気口２ａが０ｍ3／分、第１の開閉式吸気口２ｃが０ｍ3／分、第２の開閉式吸気口３が４ｍ3／分となり、床面からの吸気風量は２倍となり、床面から吸い込まれる空気汚れの除去効率も２倍となる。
【００６０】
以上のように使用環境によって室内を浮遊している汚れを優先的に除去したい場合は側面の吸気口のみ開口して広範囲に広がる空気汚れを効率良く除去し、床面付近の汚れを重点的に除去したい場合には下部の吸気口のみ開口して沈降しやすい粉塵を効率良く除去することができる。
【００６１】
また、定期的に第１の開閉式吸気口２ａ、２ｃと第２の開閉式吸気口３を交互に連動開閉させることで気流の流れを変化させて室内に広がる汚れをむらなく除去するようにしても良い。
【００６２】
また、第１の開閉式吸気口２ａ、２ｃが開口し、第２の開閉式吸気口３が閉口する状態の時間を相対的に長くし、第１の開閉式吸気口２ａ、２ｃが閉口し、第２の開閉式吸気口３が開口する状態の時間を相対的に短くするようにして室内を浮遊する粉塵やニオイを効果的に除去するようにしても良い。
【００６３】
例えば、第１の開閉式吸気口２ａ、２ｃが開口し、第２の開閉式吸気口３が閉口する状態の時間を１時間３０分とし、第１の開閉式吸気口２ａ、２ｃが閉口し、第２の開閉式吸気口３が開口する状態の時間を３０分として交互に繰り返すことで室内を浮遊する粉塵やニオイに対する除去効果を上げることができる。
【００６４】
また、第１の開閉式吸気口２ａ、２ｃが開口し、第２の開閉式吸気口３が閉口する状態の時の運転風量を１段階低下させ、第１の開閉式吸気口２ａ、２ｃが閉口し、第２の開閉式吸気口３が開口する状態の時の運転風量を１段階上昇ささせるようにして床面付近に沈降する粉塵を重点的に除去するようにしても良い。
【００６５】
例えば、第１の開閉式吸気口２ａ、２ｃが開口し、第２の開閉式吸気口３が閉口する状態の時の運転風量を弱ノッチとし、第１の開閉式吸気口２ａ、２ｃが閉口し、第２の開閉式吸気口３が開口する状態の時の運転風量を強ノッチとして交互に繰り返すことで床面付近に沈降する粉塵に対して除去効果を上げることができる。
【００６６】
（実施の形態２）
本実施の形態は前記実施の形態１と制御方法が異なるのみであり、実施の形態１と同一部分は同一符号を付して詳しい説明は省略する。
【００６７】
まず電源が通電されると制御部１０は粉塵検出部７で検出した出力信号を０〜５の汚れレベル値に変換する処理をおこない、操作部９を自動運転に設定すると、制御部１０は汚れレベル値に従ってファンモータ５を運転するものである。このとき粉塵検出部７の検出する汚れレベルに対するファンモータ５の送風量は図６に示す関係としている。
【００６８】
図５、図６（イ）に示すように粉塵検出部７で検出される粉塵の検出レベルが規定値として設けた汚れレベル１より多い場合には第２の開閉式吸気口３を開口し、第１の開閉式吸気口２ａ、２ｃを閉口して粉塵検出部７で検出された汚れレベル値によって決定される運転風量で運転し、粉塵検出部７で検出される粉塵の大きさが規定値として設けた汚れレベル１より少ない場合には第２の開閉式吸気口３を閉口し、第１の開閉式吸気口２ａ、２ｃを開口して粉塵検出部７で検出された汚れレベル値によって決定される運転風量で運転し空気汚れの除去をおこなう。また、粉塵検出部７で検出される粉塵が全く無くゼロの場合は第２の開閉式吸気口３を開口し、第１の開閉式吸気口２ａ、２ｃも開口して風量弱運転による清浄運転をおこなう。ここで規定値として汚れレベル１を設定したが、汚れレベル１はわずかに粉塵を検出するレベルであるので、それより多く検出した場合には粉塵が発生してきていると判断できるためである。
【００６９】
以上のように検出される粉塵量が多ければ第２の開閉式吸気口３を開口し、第１の開閉式吸気口２ａ、２ｃを閉口することによって床面に沈降する粉塵に対して吸込み量を上げて効率良く除去し、検出される粉塵量が少なければ第２の開閉式吸気口３を閉口し、第１の開閉式吸気口２ａ、２ｃを開口することによって浮遊空間の吸込み量を上げて効率良く除去し、浮遊粉塵が検出されない時には第２の開閉式吸気口３を開口し、第１の開閉式吸気口２ａ、２ｃも開口して室内全体をむらなく清浄することができる。
【００７０】
（実施の形態３）
本実施の形態は前記実施の形態１あるいは２と制御方法が異なるのみであり、実施の形態１、２と同一部分は同一符号を付して詳しい説明は省略する。
【００７１】
また、図６（ロ）、図７に示すように空気汚れの検出部としてニオイ成分を検出するニオイ検出部８を用いた場合について記載する。ニオイ検出部８で検出したニオイレベルが規定値として設けた汚れレベル１より高い場合は第２の開閉式吸気口３を閉口し、第１の開閉式吸気口２ａ、２ｃを開口してニオイ検出部８で検出された汚れレベル値によって決定される運転風量で運転し、ニオイ検出部８で検出されるニオイレベルが規定値として設けた汚れレベル１より低い場合は第２の開閉式吸気口３を開口し、第１の開閉式吸気口２ａ、２ｃも開口してニオイ検出部８で検出された汚れレベルによって決定される運転風量で運転し空気汚れの除去をおこなう。ここで規定値として汚れレベル１を設定したが、汚れレベル１はわずかにニオイを検出するレベルであるので、それより多く検出した場合にはニオイが発生してきていると判断できるためである。
【００７２】
以上のように検出されるニオイレベルが高ければ第２の開閉式吸気口３を閉口し、第１の開閉式吸気口２ａ、２ｃを開口することによって室内の浮遊空間の吸込み量を上げて効率良く除去し、検出されるニオイレベルが低ければ第２の開閉式吸気口３を開口し、第１の開閉式吸気口２ａ、２ｃも開口することで室内全体をむらなく清浄することができる。
【００７３】
また、実施の形態２および実施の形態３において汚れ検出部を個別に指定したが粉塵検出部７とニオイ検出部８を両方用いて、それぞれ規定値以上の汚れレベルを検出した場合には第２の開閉式吸気口３を開口し、第１の開閉式吸気口２ａ、２ｃも開口して運転風量を最大風量にして運転することで床面付近の粉塵および浮遊空間の空気汚れを短時間で除去することもできる。
【００７４】
（実施の形態４）
本実施の形態は前記実施の形態１あるいは２と制御方法が異なるのみであり、実施の形態１乃至３と同一部分は同一符号を付して詳しい説明は省略する。
【００７５】
図８に示すように活動量検出手段として赤外線センサ１２ａを備えた活動量検出部１２が設けられている。この赤外線センサ１２ａは人の動きに比例してパルス信号を出力するもので人の動きが多いとパルス信号が多く出力され、人の動きが少ないとパルス信号も少なく出力されるものである。
【００７６】
上記構成において図９、図１０に示すように活動量検出部１２で検出される人の活動量が規定値として設けた活動量レベル１より大きい場合には第２の開閉式吸気口３を開口し、第１の開閉式吸気口２ａ、２ｃを閉口して運転風量を１段階大きくして運転し、活動量検出部１２で検出される人の活動量が規定値として設けた活動量レベル１より小さい場合には第２の開閉式吸気口３を閉口し、第１の開閉式吸気口２ａ、２ｃを開口して運転風量を１段階小さくして運転をおこなう。ここで規定値として活動量レベル１を設定したが、活動量レベル１はわずかな動きを検出するレベルであるので、それより多く検出した場合には活動量が増加して粉塵が発生してきていると判断できるためである。
【００７７】
たとえば、風量中ノッチで運転中に人が活発に動作することで人検出部１２の検出量が増加して規定値を超えた場合には、第２の開閉式吸気口３を開口し第１の開閉式吸気口２を閉口して運転風量を強ノッチに１段階上げて床面より舞い上がる粉塵を大風量で効率良く除去し、人検出部１２の検出量が低下して規定値を下回った場合には、第２の開閉式吸気口３を閉口し第１の開閉式吸気口２を開口して運転風量を弱ノッチに１段階下げて低騒音で空気汚れの除去をおこなうものである。
【００７８】
以上のように人の活動量に比例して舞い上がる粉塵を想定して、活動量が大きい時には大風量で効率良く汚れを除去でき、活動量の少ない時には低風量の低騒音で静かに汚れを除去することができる。
【産業上の利用可能性】
【００７９】
複数の吸気口を設けてそれぞれ開閉をおこなうことで吸込み風量を変化させて効率良く運転できるので、エアコン、空気調和機などの運転制御の用途にも適用できる。
【図面の簡単な説明】
【００８０】
【図１】本発明の実施の形態１の空気清浄機の一部破断の外観斜視図
【図２】同制御ブロック図
【図３】同空気清浄機の吸い込み風量の模試図（（イ）同第１と第２の開閉式吸気口開口時の吸い込み風量の模試図、（ロ）同第２の開閉式吸気口閉口時の吸い込み風量の模試図、（ハ）第１の開閉式吸気口閉口時の吸い込み風量の模試図）
【図４】同空気清浄機の吸気口の開閉と吸込み風量との相関図
【図５】本発明の実施の形態２の制御フローチャート
【図６】同検出部の汚れレベル値に対する運転風量の相関図（（イ）同粉塵検出部の汚れレベル値に対する運転風量を示す図、（ロ）同ニオイ検出部の汚れレベル値に対する運転風量を示す図）
【図７】本発明の実施の形態３の制御フローチャート
【図８】本発明の実施の形態４の制御ブロック図
【図９】同制御フローチャート
【図１０】同活動量検出部の活動量レベル値に対する運転風量の相関図
【図１１】従来の空気清浄機の外観斜視図
【図１２】同検出部の汚れレベル値に対する運転風量の相関図
【符号の説明】
【００８１】
１    本体
２    第１の開閉式吸気口
２ａ  第１の開閉式吸気口
２ｃ  第１の開閉式吸気口
３    第２の開閉式吸気口
４    フィルター
５    ファンモータ
６    吹出部
７    粉塵検出部
８    ニオイ検出部
１０  制御部
【図１】
2008212463.tif 000003
【図２】
2008212463.tif 000004
【図３】
2008212463.tif 000005
【図４】
2008212463.tif 000006
【図５】
2008212463.tif 000007
【図６】
2008212463.tif 000008
【図７】
2008212463.tif 000009
【図８】
2008212463.tif 000010
【図９】
2008212463.tif 000011
【図１０】
2008212463.tif 000012
【図１１】
2008212463.tif 000013
【図１２】
2008212463.tif 000014